(57)【要約】  本発明は、歯システム（Ｚ）を製造するための側フライス（１）であって、インサートシートとしての保持ポケット（３）に配置された長方形断面を有する少なくとも１つのインサート（５）を有し、互いに反対側の２つの頂面（９）を有し、互いに反対側に位置決めされた２つの長いインサート側面（５ａ）を有し、互いに反対側に位置決めされた２つの狭いインサート側面（５ｂ）を有する側フライス（１）に関する。長いインサート側面（５ａ）に沿って長手方向（１２）に延びるインサート（５）の４つの切削エッジ（７）のうち、それぞれ２つの切削エッジ（７）がインサート（５）の頂面（９）を縁部で画定し、各切削エッジ（７）が湾曲して延びる。
2013519529.tif 000002
【特許請求の範囲】
【請求項１】
インサートシートとしての保持ポケット（３）に配置された、長方形断面の、少なくとも１つのインデックス可能なインサート（５）を有する、歯システム（Ｚ）を製造するための側フライス（１）であって、前記インデックス可能なインサートが、互いに反対側の２つの頂面（９）を有し、互いに反対側に位置決めされた２つの長手方向インサート側面（５ａ）を有し、互いに反対側に位置決めされた２つの狭いインサート側面（５ｂ）を有し、前記頂面（９）をそれぞれ縁部で画定する２つの切削エッジ（７）を有し、
前記４つの切削エッジ（７）が前記長手方向インサート側面（５ａ）に沿って前記インサートの長手方向（１２）に延び、
各切削エッジ（７）が円弧状に延びる、側フライス（１）。
【請求項２】
インデックス可能な複数のインサート（５）用のインサートシートとして両面に保持ポケット（３）を有する、請求項１に記載の側フライス（１）。
【請求項３】
前記フライスの長手方向中心線（６）を横切るディスクの長手方向中央面（Ｅ）を有し、前記インデックス可能なインサート（５）が前記ディスクの前記長手方向中央面（Ｅ）に対して斜めにセットされる、請求項１又は２に記載の側フライス（１）。
【請求項４】
インデックス可能なインサート（５）と、歯システムの歯ヘッドを加工するためにのみ適切な歯ヘッド加工インサート（４）とが交互に配置されるように、交互に備えられた保持ポケット（３）を有する、請求項１〜３のいずれか一項に記載の側フライス（１）。
【請求項５】
前記インデックス可能なインサート（５）及び前記歯ヘッド加工インサート（４）の両方が、前記ディスクの前記長手方向中央面（Ｅ）に対して斜めにセットされる、請求項４に記載の側フライス（１）。
【請求項６】
インデックス可能な各インサート（５）が、前記それぞれの長手方向インサート側面（５ａ）の前記切削エッジ（７）の下方に形成されるチップ段差（１７）と、前記切削エッジ（７）に隣接しかつ前記頂面（９）内に延びるか又は前記インサートシートに前記頂面（９）によって形成される逃げ面（９、１１）とを有する、請求項１〜５のいずれか一項に記載の側フライス（１）。
【請求項７】
インデックス可能な各インサート（５）が、前記それぞれの頂面（９）から突出する中央軸受領域（１０）と、各頂面（９）の前記切削エッジ（７）と前記軸受領域（１０）との間に前記頂面（９）から引っ込む逃げ面（１１）とを有する、請求項１〜６のいずれか一項に記載の側フライス（１）。
【請求項８】
請求項１〜７のいずれか一項に記載の側フライス（１）用のインデックス可能なインサート（５）であって、前記切削エッジ（７）の円弧状のプロファイルが、それぞれの頂面（９）（図９及び図１２）に向けられた凸状のエッジプロファイルによって形成される、側フライス（１）用のインデックス可能なインサート（５）。
【請求項９】
端部で前記切削エッジ（７）を接続する狭いインサート側面の端縁（１４）が、追加の端部切削リップ（１６）を形成するように成形される、請求項８に記載の側フライス（１）用のインデックス可能なインサート（５）。
【請求項１０】
複数の個々の曲面（１５）から成る端部切削リップ（１６）を有する、請求項８に記載のインデックス可能なインサート（５）。
【請求項１１】
前記切削エッジ（７）の前記円弧状のプロファイルが、前記それぞれの頂面（９）から始まりかつ前記隣接する長手方向インサート側面（５ａ）（図６）内に凹状に延びるエッジプロファイルによって形成される、請求項１〜７のいずれか一項に記載の側フライス（１）用のインデックス可能なインサート（５）。
【請求項１２】
前記切削エッジ（７）の前記円弧状のプロファイルが、前記それぞれの頂面（９）（図１４及び図１７又は図２０）の平面で外側に凸円弧状になっているか又は内側に凹円弧状になっているエッジプロファイルによって形成される、請求項１〜７のいずれか一項に記載の側フライス（１）用のインデックス可能なインサート（５）。
【発明の詳細な説明】
【技術分野】
【０００１】
本発明は、インデックス可能なインサートが備えられかつ歯システムを加工するために意図された側フライスに関する。本発明は、さらに、歯システムを加工するためのこの種類の側フライス用のインデックス可能なインサートに関する。
【背景技術】
【０００２】
この種類のフライス工具を用いて、外歯システムとして又は内歯システムとして構成することができるそれぞれの歯システムを、一般に単一の切削加工作業で固体ブランク（ｓｏｌｉｄ  ｂｌａｎｋ）からフライス加工することができる。
【０００３】
インデックス可能な切削インサートとも呼ばれる側フライス用のインデックス可能なインサートの分野において、従来公知のインデックス可能な唯一のインサートは、連続的に使用することができる２つの切削リップを有するインサートである。この場合、インデックス可能なインサートの１つの側面は、インサートシートのインデックス可能なインサート用の軸受面として設計され、一方、軸受面の反対側の側面には、連続的に使用することができる２つの異なる切削エッジ又は切削輪郭が設けられる。
【先行技術文献】
【特許文献】
【０００４】
【特許文献１】米国特許第３４３４１９０号
【特許文献２】独国特許公開第２００１６６７３号
【特許文献３】独国特許公開第２２３４８５４号
【特許文献４】実開昭５７−１１８１２９号
【発明の概要】
【発明が解決しようとする課題】
【０００５】
これを起点として、本発明の根底にある目的は、連続的に使用することができる４つの切削リップを有するインデックス可能な切削インサートを有する、歯システムを加工するための側フライスを提供することである。
【課題を解決するための手段】
【０００６】
本発明によれば、この目的は、請求項１の特徴によって達成される。有利な実施形態、発展形態及び変形例は従属請求項の対象物を形成する。
【０００７】
このため、インデックス可能なインサートが備えられた側フライスが提供される。インサートシートとしての保持ポケットに配置されるインデックス可能な各インサートは長方形断面を有し、互いに反対側の２つの頂面を有し、互いに反対側に位置決めされた２つの長手方向インサート側面を有し、そして互いに反対側に位置決めされた２つの狭いインサート側面を有する。２つの切削エッジは頂面をそれぞれ縁部で画定し、その結果、円弧状に各々延びる４つの切削エッジの全てが、長手方向インサート側面に沿ってインサートの長手方向に延びる。
【０００８】
側フライスは、便宜上、インデックス可能な複数のインサート用のインサートシートとしての保持ポケットを両面に有する。インデックス可能なインサートが、側フライスの長手方向中心線を横切るディスクの長手方向中央面に対して斜めにセットされると好都合である。工具への、特定の斜めの挿入角におけるインデックス可能なインサートの挿入は、インデックス可能なインサートのインサート面が、側フライスのディスクの平面と同一の平面に延びないことを意味する。逆に、インデックス可能なインサートの平面は側フライスの平面に対して斜めにセットされる。
【０００９】
好ましい実施形態では、側フライスには、円弧状又は球状に成形された相互に平行な４つの切削エッジを有するインデックス可能なインサートと、特に歯ヘッドを加工するために適切な歯ヘッド加工インサートとが、便宜上、１：１の比率で、すなわちインデックス可能なインサートと歯ヘッド加工インサートとが等しい数で、混合されて備えられる。側フライスには、インデックス可能なインサートと、歯システムの歯ヘッドを加工するためにのみ適切な歯ヘッド加工インサートとが交互に備えられ、インデックス可能なインサートと歯ヘッド加工インサートとが、側フライスの対応する保持ポケットに交互に配置される。次に、インデックス可能なインサート及び歯ヘッド加工インサートの両方が、便宜上、ディスクの長手方向中央面に対して斜めにセットされる。
【００１０】
本発明による側フライスによって、内歯システム、例えば内歯ギヤリングの内歯システム、及び外歯システム、例えば外歯ギヤホイールの外歯システムの両方を製造するための工程を行うことが可能である。この製造工程では、それぞれの歯フランク及びそれぞれの歯ヘッドの両方が単一のフライス加工作業でフライス加工される。これによって、歯システムの製造におけるドエル時間の大きな低減が達成される。
【００１１】
インデックス可能なインサート（インデックス可能な切削インサート）に関して、切削エッジの円弧状のプロファイルは、歯フランク輪郭をフライス加工するために適切である。切削エッジの円弧状のプロファイルは、フライス加工中に効果的である切削リップの球状構成をもたらす。切削リップの球状形状のため、インサートシートのインデックス可能なインサート用の支持面として、頂面を使用することができ、一方、同時に、４つの切削エッジ全てを切削リップとして使用することが可能である。したがって、主な利点は、連続的に使用することができる切削リップの数が倍増することにある。
【００１２】
本発明の変形実施形態では、互いに反対側の２つの頂面の中央領域は、インサートシートのインデックス可能なインサート用の軸受領域として設計される。頂面は、切削エッジによってそれらの縁部で画定される。歯システムの加工中に、逃げ面を形成し、したがって、インデックス可能な切削インサートのために必要な逃げ角を設けるために、軸受領域と切削エッジとの間の領域を頂面に対して高さを下げることができる。
【００１３】
本発明の一実施形態では、チップ段差は、インサートの長手方向に延びる狭い側面の上又は中に、すなわち、インデックス可能なインサートの長手方向インサート側面の上又は中に設けられる。それぞれのチップ段差は、それぞれの長手方向インサート側面の中に、長手方向インサート側面と関連する切削エッジの下方に形成される。頂面内に延びるか又は頂面によってインサートシートに形成された逃げ面は、チップ段差の反対側の長手方向側面の切削エッジに隣接する。
【００１４】
インデックス可能なインサートの適切な変形例によれば、切削エッジの円弧状のプロファイルは、それぞれの頂面に向けられた凸状のエッジプロファイルによって形成される。この円弧状のプロファイルは、頂面を、インサートのほぼ中央を起点として切削エッジに沿ってインサートのコーナに向かってある程度引っ込めるか又は除去することによって形成され、その結果、インデックス可能なインサートは実際にインサートの四隅に向かってより薄くなる。この変形例では、端部で切削エッジを接続するインサートの狭い側面の端縁は、追加の端部切削リップを形成するように成形することができる。この場合、端部切削リップは複数の個々の曲面から成ることが好ましい。
【００１５】
インデックス可能なインサートの他の変形例によれば、切削エッジの円弧状のプロファイルは、それぞれの頂面から始まって、隣接する長手方向インサート側面内に凹状に延びるエッジプロファイルによって形成される。それぞれの頂面の平面で外側に凸円弧状になっているか又は内側に凹円弧状になっているエッジプロファイルによって、切削エッジの円弧状のプロファイルをさらに形成することができる。
【００１６】
長手方向インサート側面の平面で（すなわちチップ段差に向いて）又は頂面の平面で凸状又は凹状であることができる切削エッジの僅かに円弧状のプロファイルのため、切削リップは、歯システムのフランク領域を加工するために切削リップの球状構成を受け入れる。
【００１７】
切削エッジの凹状のプロファイルは、同じ長手方向インサート側面の切削エッジの反対側に位置決めされた切削エッジに向かって切削エッジを円弧状に引っ込めることによって形成することができる。この場合、切削エッジは、頂面に向かって見たときに真っ直ぐに延び、長手方向インサート側面に向かって見たときに、長手方向インサート側面の中央に向かって凹円弧状になっている。切削エッジの凹状のプロファイルは、同じ頂面の切削エッジの反対側に位置決めされた切削エッジに向かって切削エッジを円弧状に引っ込めることによって形成することもできる。この場合、切削エッジは、長手方向インサート側面に向かって見たときに真っ直ぐに延び、頂面に向かって見たときに、頂面の中央に向かって凹円弧状になっている。
【００１８】
これらの変形例では、及びインデックス可能な長方形インサートの切削エッジがそれぞれの頂面の平面で凸状に湾曲する変形例では、長方形の長い又は長手方向の２つのインサート側面のみが、それらの全長にわたって延びる切削エッジを形成する。この実施形態では、長方形の長い又は長手方向の２つのインサート側面を接続する短い側面は、インデックス可能なインサートの端縁を形成し、機能を有しない。したがって、インデックス可能なこのインサートは、歯システムの歯フランクを加工するためにのみ適切である。歯システムの歯ヘッドを加工するために、追加の歯ヘッド加工インサートを設けなければならない。
【００１９】
逃げ面がインサートの頂面と同じ側に設けられ、切削エッジが、軸受領域に隣接する凹状形状に延びる場合、インデックス可能なこのインサートは、外歯システムで生じる種類の凸状の歯輪郭を製造するために使用される。逆に、軸受領域内に凸状に延びる切削エッジを有する工具は、内歯システムで生じる種類の凹状の歯輪郭を製造するために使用される。
【００２０】
上述のこの実施形態では、一般に、歯フランクを加工するためのインデックス可能なインサートの数と比較して、歯ヘッドを加工するための切削インサートの数を２倍設ける必要がある。いくつかの状況では、カッターディスクが多数の切削要素のために十分な設置空間を有しないため、このことがカッターディスクに関する空間上の問題をもたらす可能性がある。
【００２１】
この場合、解決策は、頂面を縁部で画定する２つの切削エッジであって、長方形の実施形態の長手方向インサート側面（長い側面）によって形成される前記エッジだけでなく、端部で切削エッジを接続する端縁も、追加の端部切削リップとして効果的である実施形態によって提供される。このことは、端縁の球状構成によって特に効果的に達成される。端縁の球状構成により、１つ以上の連続する曲面によって形成されかつ切削エッジに隣接する特に効果的な丸い端部切削リップが得られる。複数の曲面から成る端部切削リップは、加工すべき歯ヘッド形状に特に適合可能であるという利点を有する。
【００２２】
切削エッジと端部切削リップとのこの組み合わせによって、歯フランクを加工するだけでなく、歯システムの歯ヘッドをフライス加工することも可能である。次に、歯ヘッドの仕上げ加工のために、特にヘッド加工のために設計された別の切削インサートを、インデックス可能な各インサートのために設けることができる。この実施形態では、歯フランク及び歯ヘッドの両方を加工するために適切であるインデックス可能なインサート、及び特に歯ヘッドを加工するために適切である切削インサートは、１：１の比率で側フライスの歯ヘッド加工インサートに配置することができる。このようにして、必要な切削インサートの数が相当低減され、これによって、側フライスに利用可能な設置空間が常に十分に存在することを保証する。
【００２３】
図面を参照して、本発明の例示的な実施形態について以下により詳細に説明する。
【図面の簡単な説明】
【００２４】
【図１】歯フランクを加工するためのインデックス可能なインサート又はインデックス可能な切削インサートと、歯ヘッドを加工するための歯ヘッド加工インサートとが交互に備えられた側フライスの側面図である。
【図２】図１に示した側フライスの円周の平面図である。
【図３】図２に示した側フライスの拡大平面図である。
【図４】前記インサートの頂面の軸受領域に向かう方向に凹状に延びる逃げ面を有するインデックス可能なインサートの斜視図である。
【図５】図４に示したインデックス可能なインサートの平面図である。
【図６】前記インサートの長手方向インサート側面で内側に凹円弧状になっている切削エッジを有する図４に示したインデックス可能なインサートの側面図である。
【図７】前記インサートの頂面の軸受領域に向かう方向に凸状に延びる逃げ面を有するインデックス可能なインサートの斜視図である。
【図８】図７に示したインデックス可能なインサートの平面図である。
【図９】インサートの長手方向インサート側面で頂面に向かって凸円弧状になっている切削エッジを有する図７に示したインデックス可能なインサートの側面図である。
【図１０】前記インサートの頂面の軸受領域に向かう方向に凸状に延びる逃げ面を有し、かつ狭いインサート側面でプロファイル設計の端縁を有するインデックス可能なインサートの斜視図である。
【図１１】図１０に示したインデックス可能なインサートの平面図である。
【図１２】インサートの長手方向インサート側面で頂面に向かって凸円弧状になっている切削エッジを有する図１０に示したインデックス可能なインサートの側面図である。
【図１３】長方形断面と、インサートの頂面の平面で凸状になっている切削エッジとを有するインデックス可能なインサートの斜視図である。
【図１４】図１３に示したインデックス可能なインサートの平面図である。
【図１５】図１３に示したインデックス可能なインサートの側面図である。
【図１６】台形断面を有し、かつインサートの頂面の平面で凸状になっている切削エッジを有するインデックス可能なインサートの斜視図である。
【図１７】図１６に示したインデックス可能なインサートの平面図である。
【図１８】図１６に示したインデックス可能なインサートの側面図である。
【図１９】台形断面を有し、かつインサートの平面の頂面内に凹円弧状になっている切削エッジを有するインデックス可能なインサートの斜視図である。
【図２０】図１９に示したインデックス可能なインサートの平面図である。
【図２１】図１９に示したインデックス可能なインサートの側面図である。
【発明を実施するための形態】
【００２５】
全ての図において、対応する部分には同じ参照番号が付されている。
【００２６】
図１〜図３に示した側フライス１は、切削要素を保持するために各側壁２に保持ポケット３として形成されたインサートシートを有する。例示的な実施形態では、これらの切削要素は、歯システムＺを製造するために歯ヘッド加工インサート４として及びインデックス可能なインサート５として設計される。ディスクの長手方向中央面Ｅが、長手方向中心線６に対して直角に側フライス１を横切る。したがって、側フライス１のディスクの長手方向中央面Ｅは図１の図面の平面に延びる。図３の図面から、インデックス可能なインサート５及び歯ヘッド加工インサート４の両方が、側フライス１のディスクの長手方向中央面Ｅに対して斜めにセットされることが明らかである。
【００２７】
例示的な実施形態に示したインデックス可能なインサート（インデックス可能な切削インサート）５は、互いに反対側の相互に平行な２つの頂面９を有し、互いに反対側に位置決めされた２つの長手方向インサート側面５ｂを有し、そして互いに反対側に位置決めされた２つの狭いインサート側面５ｂを有する長方形断面を有する。長い側面とも呼ばれる長方形の、したがってインデックス可能なインサート５の長手方向インサート側面５ａは切削エッジ７として設計される。例示的な実施形態に示したインデックス可能なインサート５は中央締結開口部８をさらに有する。インデックス可能なインサート５を工具に、すなわち側フライス１に締結するために、締結開口部８を通してクランプピン又はクランプねじを挿入することができる。
【００２８】
締結開口部８は、インデックス可能な各インサート５の相互に反対側の頂面９の各々の領域で頂面９から突出する軸受領域１０に埋設される。取付け時に、軸受領域１０によって、インデックス可能なインサート５がその非動作側を保持ポケット３の底部につけて載置される。したがって、軸受領域１０は、インデックス可能なインサート５を保持ポケット３に対して支持する。
【００２９】
軸受領域１０とそれぞれの切削エッジ７との間には、頂面９から引っ込んだ逃げ面１１がそれぞれ配置される。図４、図５及び図６の例示的な実施形態では、逃げ面１１は凹状である。このことは、切削エッジ７の凹状に湾曲したプロファイルが長手方向インサート側面５ａ（図６）の平面で得られるように、そこで、逃げ面１１が軸受領域１０内に凹状に延びることを意味する。
【００３０】
図４〜図１２の例示的な実施形態では、切削エッジ７は、インサートの全長にわたって、インデックス可能なインサート５の長手方向インサート側面５ａに沿って長手方向（インサートの長手方向）１２に延びる。長手方向１２に対して直角の横方向（インサートの横方向）１３において、インデックス可能なインサート５の端縁１４は、それぞれ、長手方向インサート側面５ａと切削エッジ７とを互いに接続する。
【００３１】
一方では、図４、図５及び図６に示したインデックス可能なインサート５の実施形態において、他方では、図７、図８及び図９に示したインデックス可能なインサート５の実施形態において、端縁１４はフライス加工中に動作しない。このことは、これらのインデックス可能なインサート５がそれらの切削エッジ７のみでフライス加工を行うことを意味する。加工中、切削エッジ７は歯システムの歯フランクをフライス加工する。図４、図５及び図６又は図７、図８及び図９に示したインデックス可能なインサート５を有する側フライスの場合、歯ヘッドは、歯ヘッド加工インサート４によってのみ加工される。
【００３２】
凹状の逃げ面１１を有する図４、図５及び図６に示したインデックス可能なインサート５の例示的な実施形態は、凸状の輪郭を製造するために、すなわち外歯システムを製造するために使用される。他方では、図７、図８及び図９のインデックス可能なインサート５の例示的な実施形態に相応して凸状に湾曲した切削エッジ７を有する凸状の設計の逃げ面１１は、凹状の輪郭、すなわち内歯システムを製造するために使用される。
【００３３】
インサートの長手方向１２に延びるその長手方向インサート側面５ａの領域（インサートの長手方向１２に延びる側壁）において、いわゆるチップ段差１７は、一方では、図４、図５及び図６に示したインデックス可能なインサート５の例示的な実施形態において、他方では、図７、図８及び図９に示したインデックス可能なインサート５の例示的な実施形態において、切削エッジ７の下方にそれぞれ形成される。原則として、それぞれの頂面９の平面のそれぞれのチップ段差１７に向かって切削エッジ７を円弧状に形成することによって、切削エッジ７の円弧状のプロファイルを達成することも可能である。この変形実施形態では、逃げ面１１を省略することができる。次に、フライス加工中に必要な工具の逃げ角は、インデックス可能なインサート５を側フライス１のディスクの長手方向中央面に対して斜めに位置付けすることによって、したがって、それぞれの頂面９自体によってのみ形成される。
【００３４】
原則として、図１０、図１１及び図１２に示した例示的な実施形態は、図７、図８及び図９に示したインデックス可能なインサート５の例示的な実施形態と同じ構造を有する。図１０、図１１及び図１２の例示的な実施形態では、相互に隣接する３つの個々の曲面１５が、いわば、インデックス可能なインサート５の端縁１４から丸くなり、したがって、追加の端部切削リップ１６を形成するように、端縁１４が球状に構成される。端部切削リップ１６は、インサートの長手方向１２においてそれぞれの切削エッジ７に継ぎ目なく隣接する。
【００３５】
歯システムがフライス加工されるとき、他の例示的な実施形態のように、切削エッジ７が、フライス加工すべき歯の歯フランクを加工し、一方、端部切削リップ１６が、それぞれの歯のヘッドを加工し、したがって、側フライス１にそれぞれ隣接する歯ヘッド加工インサート４によって行われるヘッド加工を補足するか又は置き換えるように、端部切削リップ１６が切削エッジ７と相互作用する。
【００３６】
図面を見ると、インデックス可能な各インサート５が、４つの異なる切削エッジ７、すなわち、それぞれの頂面９に、またはその領域にそれぞれ２つの切削エッジ７を有することが明らかであろう。したがって、合計４つの切削エッジ７の全てが少なくとも互いにほぼ平行に延びる。
【００３７】
図１０、図１１及び図１２に示したインデックス可能なインサート５の例示的な実施形態は、それぞれ、４つの端部切削リップ１６をさらに有する。最初に、インデックス可能なインサート５をインサートの横方向１３に旋回させ、その後、このインサート５をインサートの長手方向１２に、次にインサートの横方向１３に再び旋回させることによって、全ての実施形態の４つの切削エッジ７、又は図１０、図１１及び図１２に示した例示的な実施形態の４つの切削エッジ７及び４つの端部切削リップ１６が連続的に使用される。したがって、歯システムを加工するための側フライス１用の４つの切削リップを有するインデックス可能なインサート５が初めて得られる。
【００３８】
しかし、図１０、図１１及び図１２に示した例示的な実施形態では、インデックス可能なインサート５を、最初に、インサートの長手方向１２に延びるインサートの長手方向軸線を中心に旋回させ、次に、同じ保持ポケット３に再びクランプさせることができることに留意されたい。２つの残りの切削エッジ７又は端部切削リップ１６を使用するためには、長手方向中心線６の左側で保持ポケット３を最初に使用する場合、次に、側フライス１の長手方向中心線６の右側での保持ポケット３に対する切り換えを行わなければならず、逆もまた同様であるように、保持ポケット３を変化させなければならない。したがって、この実施形態では、同じ保持ポケット３でそれぞれ、相互に反対側の２つのみの切削エッジ７及び端部切削リップ１６を連続的に使用することが可能である。
【００３９】
図１３、図１４及び図１５に示した例示的な実施形態では、軸受領域１０は、インデックス可能なインサート５の頂面９全体にわたって延びる。この実施形態では、インデックス可能なインサート５自体に導入される逃げ面がない。逆に、頂面９は逃げ面をインサートシートに形成する。
【００４０】
この実施形態では、図１３〜図１６に示したように、切削エッジ７は凸状である。切削エッジ７のこの凸状のプロファイルは、切削エッジ７が、それぞれの頂面９の平面で及びチップ段差１７から円弧状に形成され、頂面９が、締結開口部８の領域に配置されたインデックス可能なインサート５の中央に向かって、インデックス可能なインサート５のコーナ領域で材料を除去又は排除することによって、ただし、それぞれの切削エッジ７の円弧の頂点が長手方向インサート側面５ａを越えて突出しないように、引っ込んでいるという事実に基づいている。図１４の図面から、インデックス可能なインサート５の同じ頂面９の切削エッジ７が、対向する凸状のプロファイルを反対側に有することが理解できる。
【００４１】
図１６、図１７及び図１８に示したインデックス可能なインサート５の例示的な実施形態は、図１７から比較的明らかであるように台形断面を有する。横方向インサート側面５ｂの端縁１４は、インデックス可能なインサート５の本体に対して斜めに延びる。この台形断面を用いて、より大きな切削角を達成することが可能である。切削エッジ７はそれぞれの頂面９の平面に凸状に切削エッジ７は延びるが、この理由もやはり、頂面９が、インデックス可能なインサート５のコーナ領域で材料を除去又は排除することによって、インデックス可能なインサート５のインサートの中央（締結開口部８）に向かって引っ込んでいるからである。
【００４２】
図１９、図２０及び図２１に示した、凹状の切削エッジ７を有するインデックス可能なインサート５の実施形態では、インサートの領域で材料を除去又は排除することによってインサートの中央（締結開口部８）に向かって引っ込み、かつインデックス可能なインサート５の頂面９のコーナ領域内に延びる円弧状のプロファイルが形成される。インデックス可能なこのインサート５もやはり、逃げ面がインデックス可能なインサート５自体に形成されることなく、頂面９によって形成された連続的な軸受領域１０を有する。さらに、インデックス可能なこのインサート５の断面は、より大きな切削角を得るために台形である。
【図１】
2013519529.tif 000003
【図２】
2013519529.tif 000004
【図３】
2013519529.tif 000005
【図４】
2013519529.tif 000006
【図５】
2013519529.tif 000007
【図６】
2013519529.tif 000008
【図７】
2013519529.tif 000009
【図８】
2013519529.tif 000010
【図９】
2013519529.tif 000011
【図１０】
2013519529.tif 000012
【図１１】
2013519529.tif 000013
【図１２】
2013519529.tif 000014
【図１３】
2013519529.tif 000015
【図１４】
2013519529.tif 000016
【図１５】
2013519529.tif 000017
【図１６】
2013519529.tif 000018
【図１７】
2013519529.tif 000019
【図１８】
2013519529.tif 000020
【図１９】
2013519529.tif 000021
【図２０】
2013519529.tif 000022
【図２１】
2013519529.tif 000023
【国際調査報告】
2013519529.tif 000024
2013519529.tif 000025
2013519529.tif 000026
2013519529.tif 000027
2013519529.tif 000028
2013519529.tif 000029